【手続補正書】
【提出日】平成15年8月29日(2003.8.29)
【手続補正１】
【補正対象書類名】明細書
【補正対象項目名】発明の名称
【補正方法】変更
【補正の内容】
【発明の名称】列配線駆動回路及び画像表示装置
【手続補正２】
【補正対象書類名】明細書
【補正対象項目名】特許請求の範囲
【補正方法】変更
【補正の内容】
【特許請求の範囲】
【請求項１】
列配線及び行配線と該列配線及び行配線に接続された電子放出素子とを有するマトリクス画像表示パネルを有する画像表示装置において用いられ、パルス幅変調回路により変調された変調信号の出力を受けて前記列配線に接続された電子放出素子を駆動するための列配線駆動信号を出力する列配線駆動回路であって、
コンプリメンタリスイッチング回路と、該コンプリメンタリスイッチング回路と前記列配線との間の抵抗とを有しており、
前記変調信号の出力の変化に対応した第１の期間では前記コンプリメンタリスイッチング回路と前記抵抗によって決まる出力インピーダンスで列配線駆動信号を出力するものであり、
前記第１の期間の後、前記変調信号の出力を受けるコンプリメンタリスイッチング回路から前記列配線に対して前記第１の期間よりも低いインピーダンスで前記列配線駆動信号を前記列配線に出力するように制御する回路を更に有することを特徴とする列配線駆動回路。
【請求項２】
列配線及び行配線と該列配線及び行配線に接続された電子放出素子とを有するマトリクス画像表示パネルと、パルス幅変調回路により変調された変調信号の出力を受けて前記列配線に接続された電子放出素子を駆動するための列配線駆動信号を出力する列配線駆動回路とを有する画像表示装置であって、
前記列配線駆動回路は、
コンプリメンタリスイッチング回路と、該コンプリメンタリスイッチング回路と前記列配線との間の抵抗とを有しており、
前記変調信号の出力の変化に対応した第１の期間では前記コンプリメンタリスイッチング回路と前記抵抗によって決まる出力インピーダンスで列配線駆動信号を出力するものであり、
前記第１の期間の後、前記変調信号の出力を受けるコンプリメンタリスイッチング回路から前記列配線に対して前記第１の期間よりも低いインピーダンスで前記列配線駆動信号を前記列配線に出力するように制御する回路を更に有することを特徴とする画像表示装置。
【請求項３】
前記変調信号の出力を受けるコンプリメンタリスイッチング回路から前記列配線に対して前記第１の期間よりも低いインピーダンスで前記列配線駆動信号を出力する経路は、前記列配線との間に前記抵抗を有する前記コンプリメンタリスイッチング回路と前記列配線との間を前記抵抗をショートさせて形成される経路を含む請求項２に記載の画像表示装置。
【請求項４】
前記変調信号の出力を受けるコンプリメンタリスイッチング回路から前記列配線に対して前記第１の期間よりも低いインピーダンスで前記列配線駆動信号を出力する経路は、前記列配線との間に前記抵抗を有する前記コンプリメンタリスイッチング回路以外のコンプリメンタリスイッチング回路と前記列配線との間の経路を含む請求項２に記載の画像表示装置。
【手続補正３】
【補正対象書類名】明細書
【補正対象項目名】００２１
【補正方法】変更
【補正の内容】
【００２１】
【課題を解決するための手段】
本発明は、列配線及び行配線と該列配線及び行配線に接続された電子放出素子とを有するマトリクス画像表示パネルを有する画像表示装置において用いられ、パルス幅変調回路により変調された変調信号の出力を受けて前記列配線に接続された電子放出素子を駆動するための列配線駆動信号を出力する列配線駆動回路であって、コンプリメンタリスイッチング回路と、該コンプリメンタリスイッチング回路と前記列配線との間の抵抗とを有しており、前記変調信号の出力の変化に対応した第１の期間では前記コンプリメンタリスイッチング回路と前記抵抗によって決まる出力インピーダンスで列配線駆動信号を出力するものであり、前記第1の期間の後、前記変調信号の出力を受けるコンプリメンタリスイッチング回路から前記列配線に対して前記第１の期間よりも低いインピーダンスで前記列配線駆動信号を前記列配線に出力するように制御する回路を更に有することを特徴とする。


【手続補正４】
【補正対象書類名】明細書
【補正対象項目名】００２２
【補正方法】変更
【補正の内容】
【００２２】
また、本発明は、列配線及び行配線と該列配線及び行配線に接続された電子放出素子とを有するマトリクス画像表示パネルと、パルス幅変調回路により変調された変調信号の出力を受けて前記列配線に接続された電子放出素子を駆動するための列配線駆動信号を出力する列配線駆動回路とを有する画像表示装置であって、前記列配線駆動回路は、コンプリメンタリスイッチング回路と、該コンプリメンタリスイッチング回路と前記列配線との間の抵抗とを有しており、前記変調信号の出力の変化に対応した第１の期間では前記コンプリメンタリスイッチング回路と前記抵抗によって決まる出力インピーダンスで列配線駆動信号を出力するものであり、前記第１の期間の後、前記変調信号の出力を受けるコンプリメンタリスイッチング回路から前記列配線に対して前記第１の期間よりも低いインピーダンスで前記列配線駆動信号を前記列配線に出力するように制御する回路を更に有することを特徴とする。


【手続補正５】
【補正対象書類名】明細書
【補正対象項目名】００２４
【補正方法】変更
【補正の内容】
【００２４】
［参考の実施形態］
以下に、参考の実施形態を説明する。本発明に係わる画像表示装置に使用するマトリクス画像表示パネルは、基本的には薄型の真空容器内に、基板上に多数の電子源例えば冷陰極電子放出素子を配列してなるマルチ電子源と、電子の照射により画像を形成する画像形成部材とを対向して備えている。


【手続補正６】
【補正対象書類名】明細書
【補正対象項目名】００７０
【補正方法】変更
【補正の内容】
【００７０】
［第二の実施形態］
次に、本発明による第二の実施形態を説明する。第二の実施形態は、列配線駆動回路Ｐ１１０４が参考の実施形態と異なる実施形態である。他の構成は同じなので列配線駆動回路Ｐ１１０４以外の構成の説明は省略する。


【手続補正７】
【補正対象書類名】明細書
【補正対象項目名】００７２
【補正方法】変更
【補正の内容】
【００７２】
図５において、ＰＷＭジェネレータ部Ｐ１１０２は参考の実施形態と同じ動作をするので、説明は省略する。ＰＷＭジェネレータ部Ｐ１１０２は参考の実施形態と同様に、輝度データ（画像情報）の大きさに比例したパルス幅でハイレベルを出力する。


【手続補正８】
【補正対象書類名】明細書
【補正対象項目名】００７３
【補正方法】変更
【補正の内容】
【００７３】
列配線駆動回路Ｐ１１０４において、Ｐ１１０４ａは参考の実施形態同様コンプリメンタリスイッチング回路であり、Ｐ１１０４ｂは参考の実施形態同様に、表示パネルＰ２０００によってリンギングが発生しないように抵抗値が決定されている抵抗器である。Ｐ１１０４ｆはスイッチ回路でありコントロール入力により入出力をＯＮ／ＯＦＦする。Ｐ１１０６はイネーブル制御回路であり、例えば図６のようなイネーブル生成器としてのラッチ回路Ｐ１１０６ａと排他的論理和回路Ｐ１１０６ｂとの構成からなり、図７に示すタイミングチャートのＴ１１０ａに示すようにＰＷＭジェネレータ部Ｐ１１０２の出力Ｔ１１０の立ち上がり・立ち下がりのみＬＯＷレベルになる。


【手続補正９】
【補正対象書類名】明細書
【補正対象項目名】００７５
【補正方法】変更
【補正の内容】
【００７５】
図５に示すように、コンプリメンタリスイッチング回路Ｐ１１０４ａの詳細は参考の実施形態同様であり、図４に示した通りである。


【手続補正１０】
【補正対象書類名】明細書
【補正対象項目名】００７６
【補正方法】変更
【補正の内容】
【００７６】
また、参考の実施形態と同様に、ＰＷＭジェネレータ部Ｐ１１０２が出力する輝度データ（画像情報）の大きさに比例したパルス幅ハイレベル信号を出力する。そしてハイレベルの信号は、ＮＯＴ回路Ｐ１１０４ｃでロジックレベルが反転され、出力回路であるＰ型ＭＯＳＦＥＴＰ１１０４ｄ、Ｎ型ＭＯＳＦＥＴＰ１１０４ｅにより再度反転出力され電源電圧が出力される。


【手続補正１１】
【補正対象書類名】明細書
【補正対象項目名】００８０
【補正方法】変更
【補正の内容】
【００８０】
（１）立ち上がり立ち下がり時、イネーブル制御回路Ｐ１１０６の出力はローレベルであるので、参考の実施形態同様、抵抗器Ｐ１１０４ｂがコンプリメンタリスイッチング回路Ｐ１１０４ａと列配線の間に直列に入るので、リンギングの発生無しで列配線を駆動できる。


【手続補正１２】
【補正対象書類名】明細書
【補正対象項目名】００８１
【補正方法】変更
【補正の内容】
【００８１】
（２）さらに立ち上がり立ち下がり以外の時間は、イネーブル制御回路Ｐ１１０６の出力はハイレベルであるので、抵抗器Ｐ１１０４ｂがスイッチ回路Ｐ１１０４ｆによりショートされるため電圧降下や電力ロスが少ない。
等の利点があり、良好であった参考の実施形態より更に、電力ロス無しで良好に画像表示パネルＰ２０００を駆動できた。


【手続補正１３】
【補正対象書類名】明細書
【補正対象項目名】００８２
【補正方法】変更
【補正の内容】
【００８２】
また抵抗器Ｐ１１０４ｂの値は、参考の実施形態同様、リンギングが発生しないように定めた。


【手続補正１４】
【補正対象書類名】明細書
【補正対象項目名】００８７
【補正方法】変更
【補正の内容】
【００８７】
図８において、ＰＷＭジェネレータ部Ｐ１１０２は参考の実施形態と同じ動作をするので、説明は省略する。ＰＷＭジェネレータ部Ｐ１１０２は参考の実施形態と同様に輝度データ（画像情報）の大きさに比例したパルス幅の時間ハイレベルを出力する。


【手続補正１５】
【補正対象書類名】明細書
【補正対象項目名】００８８
【補正方法】変更
【補正の内容】
【００８８】
列配線駆動回路Ｐ１１０４において、Ｐ１１０４ａは参考の実施形態同様コンプリメンタリスイッチング回路であり、Ｐ１１０４ｂは参考の実施形態同様にマトリクス表示パネルによって抵抗値を決めてある抵抗器である。Ｐ１１０４ｇはスリーステートコンプリメンタリスイッチング回路でありコントロール入力により出力をハイインピーダンス状態にできる。


【手続補正１６】
【補正対象書類名】明細書
【補正対象項目名】００９７
【補正方法】変更
【補正の内容】
【００９７】
（２）さらに立ち上がり・立ち下がり以外の時間は、イネーブル制御回路Ｐ１１０６の出力はハイレベルであるので（スリーステートコンプリメンタリスイッチング回路Ｐ１１０４ｇのイネーブル入力はハイレベルであり、スリーステートコンプリメンタリスイッチング回路Ｐ１１０４ｇの出力は有効であるため）、コンプリメンタリスイッチング回路Ｐ１１０４ａとスリーステートコンプリメンタリスイッチング回路Ｐ１１０４ｇの並列になった出力インピーダンスで列配線を駆動するので、電圧降下や電力ロスが少ない。
等の利点があり、良好であった参考の実施形態より更に良好に画像表示パネルＰ２０００を駆動できた。


【手続補正１７】
【補正対象書類名】明細書
【補正対象項目名】００９８
【補正方法】変更
【補正の内容】
【００９８】
また抵抗器Ｐ１１０４ｂの値は参考の実施形態同様、１０″程度のパネルでは、１００［Ω］〜１［ｋΩ］の値が最適であった。また３０″以上の大型パネルでは５００［Ω］〜５［ｋΩ］が最適であった。


【手続補正１８】
【補正対象書類名】明細書
【補正対象項目名】０１０２
【補正方法】変更
【補正の内容】
【０１０２】
図１０において、ＰＷＭジェネレータ部Ｐ１１０２は参考の実施形態と同じ動作をするので、説明は省略する。ＰＷＭジェネレータ部Ｐ１１０２は参考の実施形態と同様に輝度データ（画像情報）の大きさに比例したパルス幅の時間ハイレベルを出力する。


【手続補正１９】
【補正対象書類名】明細書
【補正対象項目名】０１０４
【補正方法】変更
【補正の内容】
【０１０４】
また、Ｐ１１０４ｂは参考の実施形態と同様にマトリクス表示パネルによって抵抗値を決めてある抵抗器である。


【手続補正２０】
【補正対象書類名】明細書
【補正対象項目名】０１１２
【補正方法】変更
【補正の内容】
【０１１２】
（２）立ち上がり・立ち下がり時以外、イネーブル制御回路Ｐ１１０６は、スリーステートコンプリメンタリスイッチング回路Ｐ１１０４ｇ１にローレベルのイネーブル信号を、スリーステートコンプリメンタリスイッチング回路Ｐ１１０４ｇ２にハイレベルのイネーブル信号をそれぞれ出力する。その結果、スリーステートコンプリメンタリスイッチング回路Ｐ１１０４ｇ１はハイインピーダンス出力となり、列配線駆動に影響しない。一方スリーステートコンプリメンタリスイッチング回路Ｐ１１０４ｇ２は、ＰＷＭジェネレータ部Ｐ１１０２の出力をそのまま出力する。この出力より、スリーステートコンプリメンタリスイッチング回路Ｐ１１０４ｇ２が低インピーダンスで列配線を駆動するので、電圧降下や電力ロスが少ない。
等の利点があり、良好であった参考の実施形態より更に良好に画像表示パネルＰ２０００を駆動できた。


【手続補正２１】
【補正対象書類名】明細書
【補正対象項目名】０１１３
【補正方法】変更
【補正の内容】
【０１１３】
また抵抗器Ｐ１１０４ｂの値は参考の実施形態同様、１０″程度の表示パネルでは、１００［Ω］〜１［ｋΩ］の値が最適であった。また３０″以上の大型パネルでは５００［Ω］〜５［ｋΩ］が最適であった。


【手続補正２２】
【補正対象書類名】明細書
【補正対象項目名】０１１６
【補正方法】変更
【補正の内容】
【０１１６】
図１３において、ＰＷＭジェネレータ部Ｐ１１０２は参考の実施形態と同じ動作をするので、説明は省略する。ＰＷＭジェネレータ部Ｐ１１０２は参考の実施形態と同様に輝度データ（画像情報）の大きさに比例したパルス幅の時間ハイレベルを出力する。


【手続補正２３】
【補正対象書類名】明細書
【補正対象項目名】０１１７
【補正方法】変更
【補正の内容】
【０１１７】
列配線駆動回路Ｐ１１０４において、Ｐ１１０４ａは参考の実施形態同様コンプリメンタリスイッチング回路であり、Ｐ１１０４ｂ１は参考の実施形態同様にマトリクス表示パネルによって抵抗値を決めてある第一の抵抗器である。Ｐ１１０４ｇ１はスリーステートコンプリメンタリスイッチング回路であり、イネーブル入力により出力をハイインピーダンス状態にできる。Ｐ１１０４ｂ２は参考の実施形態同様に、マトリクス表示パネルによって抵抗値を決めてある第二の抵抗器である。


【手続補正２４】
【補正対象書類名】明細書
【補正対象項目名】０１２７
【補正方法】変更
【補正の内容】
【０１２７】
また抵抗器Ｐ１１０４ｂ１の値は参考の実施形態同様、１０″程度のパネルでは、１００［Ω］〜２［ｋΩ］の値が最適であった。また３０″以上の大型パネルでは５００［Ω］〜１０［ｋΩ］が最適であった。


【手続補正２５】
【補正対象書類名】明細書
【補正対象項目名】０１６０
【補正方法】変更
【補正の内容】
【０１６０】
【発明の効果】
以上説明したように、本発明によれば、大面積の画像表示パネルとして表面伝導型放出素子を単純マトリクス配線したマルチ電子ビーム源を使用した場合に、特にローコストの商品化の妨げになっていた列配線駆動回路をローコストでリンギングなく大面積の画像表示パネルを駆動できる。


【手続補正２６】
【補正対象書類名】明細書
【補正対象項目名】図２
【補正方法】変更
【補正の内容】
【図２】本発明の参考の実施形態のタイミング図である。


【手続補正２７】
【補正対象書類名】明細書
【補正対象項目名】図３
【補正方法】変更
【補正の内容】
【図３】本発明の参考の実施形態のＰＷＭジェネレータ及び列配線駆動回路の詳細を示す図である。


【手続補正２８】
【補正対象書類名】明細書
【補正対象項目名】図４
【補正方法】変更
【補正の内容】
【図４】本発明の参考の実施形態のコンプリメンタリスイッチング回路の詳細を示す図である。